(57)【要約】 【課題】  スキップ情報の配信側からすればスキップ情報の視聴効果を確実に確保でき、スキップ情報の受信側もスキップ情報の視聴によるメリットを享受し易くなるテレビ装置、スキップ情報視聴システム及びその方法を提供する。【解決手段】  スキップ情報視聴システム９は、家庭内のネットワーク１に接続されたテレビ装置１０、ＣＡＴＶ網４、情報サーバ５から構成される。テレビ装置１０は、スキップ情報を格納する退避メモリ１３を有するメインＴＶ２と、スキップ情報を見るためのサブＴＶ３からなる。また、情報サーバ５は、割引ポイント算出部６と、減算課金データベース７と、コンテンツサーバ８を有している。【選択図】  図１
2007013788.tif 000002
【特許請求の範囲】
【請求項１】
家庭内に予め構築されたネットワークに複数台接続されたテレビ装置であって、
前記テレビ装置が受信したテレビ放送番組の中からユーザに指定されたスキップ情報のみを記録するスキップ情報記録手段が設けられ、
前記テレビ装置の少なくとも１台が、前記スキップ情報記録手段から前記スキップ情報を獲得して再生するように構成されたことを特徴とするテレビ装置。
【請求項２】
前記スキップ情報が再生されたことを検出するスキップ情報再生検出手段と、
前記スキップ情報再生検出手段による再生検出の度合いに応じてスキップ情報の視聴ポイントを計上する視聴ポイント計上手段と、
前記視聴ポイントを前記スキップ情報の配信元に通知する通知手段が設けられたことを特徴とする請求項１に記載のテレビ装置。
【請求項３】
前記スキップ情報を再生するテレビ装置が、家庭内でユーザが利用頻度の高いスペースに設置されたことを特徴とする請求項１又は２に記載のテレビ装置。
【請求項４】
前記スキップ情報を再生するテレビ装置の再生起動スイッチが、前記スペースへの利用者の侵入を検知する検知手段と連動するように構成されたことを特徴とする請求項３に記載のテレビ装置。
【請求項５】
再生が終了した前記スキップ情報を削除するスキップ情報削除手段が設けられたことを特徴とする請求項１〜４のいずれか一項に記載のテレビ装置。
【請求項６】
再生が未終了の前記スキップ情報について、最初から最後まで一つの情報のまとまりとして前記スキップ情報記録手段へと再格納するスキップ情報再格納手段が設けられたことを特徴とする請求項１〜５のいずれか一項に記載のテレビ装置。
【請求項７】
前記テレビ装置と、前記スキップ情報の視聴状況をユーザごとに管理する情報サーバとからなるスキップ情報視聴システムにおいて、
前記情報サーバは、
前記テレビ放送録画再生装置の通知手段から通知された前記視聴ポイントに応じて、各ユーザに与える付与ポイントを算出する付与ポイント算出手段と、
ユーザごとに前記付与ポイントを蓄積するデータベースが設けられたことを特徴とするスキップ情報視聴システム。
【請求項８】
前記スキップ情報は前記テレビ放送番組に挿入される広告情報であり、且つ前記テレビ放送番組の視聴料が有料である時、各ユーザに与えられる前記付与ポイントは前記視聴料に対する割引ポイントとなることを特徴とする請求項７に記載のスキップ情報視聴システム。
【請求項９】
前記テレビ装置及び前記情報サーバを用いたスキップ情報視聴方法であって、
前記テレビ装置では、
前記スキップ情報を記録するスキップ情報記録ステップと、
前記スキップ情報を再生するスキップ情報再生ステップと、
前記スキップ情報が再生されたことを検出するスキップ情報再生検出ステップと、
前記スキップ情報の再生検出の度合いに応じてスキップ情報の視聴ポイントを計上する視聴ポイント計上ステップと、
前記視聴ポイントを前記スキップ情報の配信元に通知する通知ステップを行い、
前記情報サーバでは、
前記視聴ポイントをユーザごとに集計、蓄積するデータ蓄積ステップと、
前記視聴ポイントに応じて各ユーザに与える付与ポイントを算出する付与ポイント算出ステップを行うことを特徴とするスキップ情報視聴方法。
【発明の詳細な説明】
【技術分野】
【０００１】
本発明は、テレビ放送番組を視聴する技術において、テレビ放送番組に含まれる広告情報などユーザの指定したスキップ情報を、適切なタイミングで効率よく視聴することが可能なテレビ装置及びスキップ情報の視聴状況を管理するスキップ情報視聴技術に関するものである。
【背景技術】
【０００２】
一般に、コマーシャルメッセージ（以下、ＣＭ）を初めとする広告情報は、テレビ放送番組の配信元である放送局側によって一意的に決められたタイミングで、テレビ放送番組の途中に挿入されている。したがって、視聴者にとってみれば、ＣＭは主体的に見ているものではなく見飛ばしがちであり、番組の息抜きあるいは不要であると感じることが多い。このため、次のようなテレビ放送録画再生装置が提案されていた。
【０００３】
すなわち、再生中にスキップする情報としてＣＭを指定しておき、ＣＭを省いた状態でテレビ放送番組を再生する装置である。ここでいうスキップ情報とは、テレビ放送番組の映像情報の中からユーザからの指定指令を受けて指定した情報部分であり、メディアには格納されるが、再生時には表示されない映像情報のことである。ＣＭをスキップする場合、ＣＭに添付されたタグ情報を検知することでこれを判別し、非再生処理を行い、非表示とするようになっている。
【０００４】
例えば特許文献１の録画装置では、放送されるアナログ信号のＣＭを検出すると、そのＣＭが終わるまではデジタル信号への圧縮処理を行わないようにし、ＣＭの終わりを検出した時点でデジタル信号への圧縮処理の変換を再開するようになっている。このようにしてＣＭを削除した上で変換したデジタル信号だけをメディアに記録することができる。
【０００５】
上記の周知技術はテレビ放送番組の放送内容だけを集中して見たい視聴者には歓迎されるが、ＣＭの提供元からすれば、番組再生時にＣＭがスキップされるのでＣＭ本来の目的である宣伝効果がなくなり、多額の広告宣伝費が無駄になることが懸念された。そこで近年では、ＣＭなどの広告情報を視聴者に提供するシステムに改良が重ねられている。
【０００６】
具体的には、特許文献２の広告情報提供システムがある。このシステムでは、ユーザにＣＭ提供会社とＣＭ受信契約を結んでもらい、ユーザが視聴したＣＭの視聴回数をカウントしてユーザ側からＣＭ提供会社に送る。一方、ＣＭ提供会社側は各ユーザの視聴回数に応じてＣＭを視聴したことへの対価（ＣＭを見たことによる視聴料）をユーザに支払うようになっている。
【特許文献１】特開２００２−１９９３２１号公報
【特許文献２】特開２００４−１１２４４１号公報
【発明の開示】
【発明が解決しようとする課題】
【０００７】
しかしながら、特許文献２の広告情報提供システムでは、ＣＭ視聴料により有料テレビ番組の金銭的負担を軽減させることを目的としたものであって、ＣＭ受信契約を結ぶか否かはユーザ側に委ねられている。つまり、ユーザがＣＭ受信契約を結ばない限りＣＭ視聴そのものが成立しない。
【０００８】
しかも、上記システムでは、ＣＭの放送タイミングに関してはテレビ放送番組の配信側が決めていることに変わりはないので、ユーザは、ＣＭの不要感と、ＣＭ視聴料を秤にかけることになる。有料のテレビ放送を視聴するタイプのユーザは、ＣＭの不要感を強く感じる傾向があるので、少ない経済的なメリットではＣＭ受信契約を結ぶ可能性が低く、ＣＭの視聴率は上がりにくく、宣伝効果は弱かった。
【０００９】
以上のような課題を持つ特許文献２の広告情報提供システムは、広告情報の視聴効率を向上させるためのシステムとは言い難く、広告情報の配信側、より具体的にはＣＭの提供側から見て不満が残ることになった。つまり、広告情報の配信側にしてみれば、ユーザに広告情報をいかに確実に見てもらうかが最も重要であり、ユーザが広告情報を見易くなる技術の開発が要請されていた。
【００１０】
また、広告情報を受信するユーザにとっても、広告情報を視聴したことで経済的なメリットを受けられるならば、それに越したことはない。また、ユーザが番組再生時に広告情報を削除するのはテレビ放送番組の視聴に集中したいためであって、広告情報を全く見たくない訳ではない。
【００１１】
むしろ、テレビ放送番組の集中を阻害しないのであれば、広告情報に関心・興味を持つユーザは多い。テレビ放送番組の視聴者は最も典型的な消費者であり、広告情報は重要な商品情報であるという認識は高いと考えられる。すなわち、広告情報に対する視聴要求それ自体が低いということはなく、ユーザの観点からも広告情報を効率よく見る技術が待たれていた。
【００１２】
以上述べたように、広告情報の配信側とユーザ側の両方から、広告情報を見易くするための環境整備が待たれていた。本発明は、再生時に退避対象となるスキップ情報の視聴技術に関して、スキップ情報の配信側及び受信側両方のニーズに応えて提案されたものであって、スキップ情報を極めて簡単に視聴可能とすることにより、スキップ情報の配信側からすればスキップ情報の視聴効果を確実に確保することができ、スキップ情報の受信側もスキップ情報の視聴によるメリットを享受し易くなるテレビ装置、スキップ情報視聴システム及びその方法を提供することを目的としている。
【課題を解決するための手段】
【００１３】
上述した目的を達成するために、請求項１の発明は、家庭内に予め構築されたネットワークに複数台接続されたテレビ装置であって、前記テレビ装置が受信したテレビ放送番組の中からユーザに指定されたスキップ情報のみを記録するスキップ情報記録手段が設けられ、前記テレビ装置の少なくとも１台が、前記スキップ情報記録手段から前記スキップ情報を獲得して再生するように構成されたことを特徴としている。
【００１４】
以上の請求項１の発明では、スキップ情報記録手段にスキップ情報を記録して貯めておき、少なくとも１台のテレビ装置にてスキップ情報をまとめて再生することができる。また、ネットワークに接続された複数台のテレビ装置の中から、ユーザは、利用し易い場所にあるテレビ装置を使って、スキップ情報を視聴できる。
【００１５】
すなわち、スキップ情報の視聴に関して制約をなくすことができ、スキップ情報を視聴するタイミングや場所をユーザが自由に選ぶことができる。このため、ユーザはスキップ情報の視聴に際して面倒な手間や精神的な負担感を全く感じることがなく、スキップ情報の視聴効率を高めることができる。
【００１６】
また、スキップ情報の視聴効率が高まることで、スキップ情報の視聴による効果を十分に引き出すことが可能である。具体的にはスキップ情報が広告情報であれば、広告情報が確実に視聴されるので、広告情報の配信側からすれば宣伝効果が向上するという利点がある。また、広告情報の受信側であるユーザにとっても広告情報の視聴によるメリットを享受し易くなる。
【００１７】
請求項２の発明は、請求項１に記載のテレビ装置において、前記スキップ情報が再生されたことを検出するスキップ情報再生検出手段と、前記スキップ情報再生検出手段による再生検出の度合いに応じてスキップ情報の視聴ポイントを計上する視聴ポイント計上手段と、前記視聴ポイントを前記スキップ情報の配信元に通知する通知手段が設けられたことを特徴としている。
【００１８】
以上の構成を有する請求項２のテレビ装置では、スキップ情報再生検出手段にてスキップ情報の再生を検出し、その度合いに応じて視聴ポイント計上手段が視聴ポイントを計上して、通知手段により視聴ポイントをスキップ情報の配信元に通知する。このため、視聴ポイントに応じて何らかのメリットを設定した場合に、ユーザはこれをスキップ情報の配信元から享受可能となる。このメリットはスキップ情報のさらなる視聴動機となり、スキップ情報の視聴効率はいっそう向上する。
【００１９】
請求項３の発明は、請求項１又は２に記載のテレビ装置において、前記スキップ情報を再生するテレビ装置が、家庭内でユーザが利用頻度の高いスペースに設置されたことを特徴としている。
【００２０】
請求項３の発明では、風呂やトイレ、洗面所、台所など、滞在時間は短くとも、日常的に必ず利用するスペースにテレビ装置を設置したことで、スキップ情報の視聴機会を増やすことができる。また、これらのスペースにおいて滞在時間が比較的短い場所、例えばトイレなどは再生時間が短いスキップ情報の視聴場所として好適である。さらに、洗面所や台所などでは他の用事をしながらスキップ情報を視聴することになるので、スキップ情報の視聴に専念して時間を無駄に費やしたという感覚を持つことは少ない。したがって、たとえスキップ情報がユーザにとって関心の低い広告情報であってもこれを容易に見ることができ、スキップ情報の視聴効率は大幅に向上する。
【００２１】
請求項４の発明は、請求項３に記載のテレビ装置において、スキップ情報を再生するテレビ装置の再生起動スイッチが、前記スペースへの利用者の侵入を検知する検知手段と連動するように構成されたことを特徴としている。
【００２２】
このような請求項４の発明では、スペースへの利用者の侵入を検知するだけで、スキップ情報を自動的に再生することができる。このため、スペースの利用者は、たとえ見る気がなくても、無意識のうちにスキップ情報を視聴することになり、視聴効率は非常に高くなる。
【００２３】
請求項５の発明は、請求項１〜４のいずれか一項に記載のテレビ装置において、再生が終了した前記スキップ情報を削除するスキップ情報削除手段が設けられたことを特徴としている。
【００２４】
以上の請求項５の発明では、ユーザがスキップ情報を見終わってしまえばスキップ情報削除手段によってスキップ情報を削除できるので、大容量のスキップ情報記憶手段を用意する必要がなく、構成の簡略化が図れる。
【００２５】
請求項６の発明は、請求項１〜５のいずれか一項に記載のテレビ装置において、再生が未終了の前記スキップ情報について、最初から最後まで一つの情報のまとまりとして前記スキップ情報記録手段へと再格納するスキップ情報再格納手段が設けられたことを特徴としている。
【００２６】
以上の請求項６の発明では、スキップ情報の再生が途中で停止した場合に、スキップ情報再格納手段はスキップ情報を最初から最後まで一つの情報のまとまりとしてスキップ情報記録手段へ再格納する。したがって、途中まで視聴したスキップ情報をもう一度見るときに、スキップ情報が途中から再生されることがなく、一塊のスキップ情報を最初から視聴することができる。
【００２７】
請求項７の発明は、前記テレビ装置を利用したスキップ情報視聴システムであって、前記テレビ装置と、前記スキップ情報の視聴状況をユーザごとに管理する情報サーバとからなるスキップ情報視聴システムにおいて、前記情報サーバに以下の特徴がある。すなわち、前記情報サーバは、前記テレビ放送録画再生装置の通知手段から通知された前記視聴ポイントに応じて、各ユーザに与える付与ポイントを算出する付与ポイント算出手段と、ユーザごとに前記付与ポイントを蓄積するデータベースを有している。
【００２８】
請求項８の発明は、請求項７に記載のスキップ情報視聴システムにおいて、前記スキップ情報が前記テレビ放送番組に挿入される広告情報であり、且つ前記テレビ放送番組の視聴料が有料である時、各ユーザに与えられる前記付与ポイントは前記視聴料に対する割引ポイントとなることを特徴としている。
【００２９】
請求項９の発明は、請求項７の発明を方法の観点から捉えた発明であって、前記テレビ装置及び前記情報サーバを用いたスキップ情報視聴方法において、前記テレビ装置では、前記スキップ情報を記録するスキップ情報記録ステップと、前記スキップ情報を再生するスキップ情報再生ステップと、前記スキップ情報が再生されたことを検出するスキップ情報再生検出ステップと、前記スキップ情報の再生検出の度合いに応じてスキップ情報の視聴ポイントを計上する視聴ポイント計上ステップと、前記視聴ポイントを前記スキップ情報の配信元に通知する通知ステップを行い、前記情報サーバでは、前記視聴ポイントに応じて各ユーザに与える付与ポイントを算出する付与ポイント算出ステップと、ユーザごとに前記付与ポイントを蓄積するステップを行うことを特徴としている。
【００３０】
本発明に係るスキップ情報視聴システム及びその方法において、テレビ放送録画再生装置では、記録手段に退避させたスキップ情報を、再生手段が再生すると、再生検出手段がそれを検出する。また、視聴ポイント計上手段が視聴ポイントを計上し、これを通知手段がスキップ情報の配信元に通知する。また、情報サーバでは、通知された視聴ポイントに基づいて各ユーザに与える付与ポイントを算出し、ユーザごとに付与ポイントをデータベースに蓄積する。
【００３１】
上述した本発明によれば、効率よくスキップ情報を視聴できるテレビ装置と、スキップ情報の視聴状況をユーザごとに管理する情報サーバとを組み合わせることで、スキップ情報の視聴により生じるメリットを、スキップ情報を視聴したユーザに確実に還元することができる。
【００３２】
特に、請求項８の発明では、スキップ情報である広告情報を視聴したユーザに対してのみ、番組視聴料の割引ポイントを与えるので、広告情報の配信側からみれば宣伝費を効果的に使用したことになり、経済的なメリットを受けるユーザ側だけでなく広告情報の配信側も高い満足度を得ることができる。
【発明の効果】
【００３３】
以上述べたように、本発明のテレビ装置、スキップ情報視聴システム及びその方法によれば、スキップ情報専用の記録手段を備え、複数台の中の少なくとも一台のテレビ装置でスキップ情報を効率よく視聴することが可能となり、スキップ情報の配信側からすればスキップ情報の視聴効果を確実に確保することができ、スキップ情報の受信側もスキップ情報の視聴によるメリットを享受し易い環境を整えることができる。
【発明を実施するための最良の形態】
【００３４】
〔１．構成〕
続いて、本発明を実施するための最良の形態（以下「実施形態」という）について、図１及び図２のブロック図及び図３〜図６のフローチャート面を参照して具体的に説明する。
【００３５】
〔１−１．全体構成〕
図１は本実施形態の全体構成を示すブロック図である。この図１に示すように、本実施形態はスキップ情報を視聴するためのシステム９であって、このスキップ情報視聴システム９は、ユーザに指定されたスキップ情報を退避させつつテレビ放送番組を視聴可能なテレビ装置１０と、スキップ情報の視聴状況をユーザごとに管理する情報サーバ５と、両者を接続するＣＡＴＶ網４とから構成される。
【００３６】
また、テレビ再生装置１０はテレビ放送番組を見るためのメインＴＶ２と、スキップ情報を見るためのサブＴＶ３からなり、これら２つのテレビ装置２、３は家庭内に構築されるネットワーク１に接続されている。さらに、ネットワーク１にはテレビ装置２、３以外にもビデオデッキやパソコンなどが接続されている。
【００３７】
なお、スキップ情報とは、上述したように、テレビ放送番組の映像情報の中からユーザからの指定指令を受けて指定した情報部分であり、格納だけされて再生時には表示されない映像情報である。本実施形態ではスキップ情報としてタグ情報が添付されたＣＭを指定するようになっている。
【００３８】
〔１−２．テレビ装置１０の構成〕
〔１−２−１．メインＴＶ２の構成〕
図２はテレビ装置１０の構成を示すブロック図である。このうち、メインＴＶ２は、表示部１１、主記憶部１２、退避メモリ１３、通信制御部１４、主再生部１５、スキップ情報指定部１６、視聴ポイント計上部１７、入力部１９から構成される。このうち、主記憶部１２は、ＣＡＴＶ網４を介して情報サーバ５から配信されたテレビ放送番組の映像情報を格納する部分、主再生部１５は、主記憶部１２に格納された映像情報を再生する部分、表示部１１は、主再生部１５にて再生される映像情報を表示する部分である。
【００３９】
スキップ情報指定部１６は、配信されたテレビ放送番組の映像情報に対して入力部１９からのユーザ指令を受けてスキップ情報を指定する部分である。前述したようにスキップ情報はテレビ放送番組の映像情報と共に主記憶部１２に格納されるが、主再生部１５では再生されずに表示部１１では表示されない。退避メモリ１３はこのようなスキップ情報だけを格納する専用メモリである。
【００４０】
通信制御部１４は、ＣＡＴＶ網４を介して情報サーバ５に接続しており、情報サーバ５から配信されるテレビ放送番組を受信する受信手段と、視聴ポイント計上部１７の計上した視聴ポイントを情報サーバ５に通知する通知手段を兼ねている。また、通信制御部１４は、ネットワーク１を介してサブＴＶ３と接続している。視聴ポイント計上部１７は、サブＴＶ３から送られてくるＣＭの視聴終了信号（後述する）に基づいてスキップ情報の視聴ポイントを計上する部分である。
【００４１】
〔１−２―２．サブＴＶ３の構成〕
サブＴＶ３はスキップ情報を格納した退避メモリ１３からスキップ情報を獲得して再生するスキップ情報再生手段である。サブＴＶ３は、メインＴＶ２とは独立して設けられており、ここではトイレに設置されている。そして、サブＴＶ３の起動スイッチはトイレに設けられた対人センサ３０と連動するように構成されている。より詳しくは、サブＴＶ３は、対人センサ３０が人を感知した場合に発する作動信号及び人がいなくなった場合に発する無人信号によって、スキップ情報の再生及び再生停止を行うようになっている。
【００４２】
サブＴＶ３は、サブ側通信制御部１８、サブ側再生部２０、スキップ情報表示部２１、スキップ情報再生検出部２２、スキップ情報削除部２３、スキップ情報再格納部２４から構成される。このうち、サブ側通信制御部１８はメインＴＶ２側の通信制御部１４と情報をやり取りする部分である。
【００４３】
サブ側再生部２０は、退避メモリ１３に格納されたスキップ情報の有無を確認し、退避メモリ１３にスキップ情報が存在した時、退避メモリ１３からスキップ情報を獲得してこれを再生する部分である。このサブ側再生部２０は、トイレに設置された対人センサ３０からの作動信号及び無人信号を受けてスキップ情報の再生及び停止を制御するようになっている。スキップ情報表示部２１は、サブ側再生部２０にて再生されたスキップ情報を表示する部分であり、トイレに入ったユーザが見やすい位置に設置されている。
【００４４】
また、スキップ情報再生検出部２２は、サブ側再生部２０にてスキップ情報の再生が終了したことを検出してＣＭの視聴終了信号をメインＴＶ２側の視聴ポイント計上部１７へと送るようになっている。さらに、スキップ情報削除部２３はスキップ情報を削除する部分である。スキップ情報再格納部２４は、スキップ情報を再生している途中でサブ側再生部２０がスキップ情報の再生を停止させた場合に、一塊のスキップ情報を一単位として、つまり、退避メモリ１３からサブ側再生部２０が獲得したスキップ情報を最初から最後まで、退避メモリ１３へと再格納する部分である。
【００４５】
〔１−３．情報サーバ５の構成〕
情報サーバ５は、割引ポイント算出部６と、減算課金データベース７と、コンテンツサーバ８を有している。割引ポイント算出部６は、メインＴＶ２側から送られてきた視聴ポイントを受け取りポイント数に応じて各ユーザの割引ポイントを算出する部分である。減算課金データベース７は、ユーザごとに前記割引ポイントを蓄積する部分である。コンテンツサーバ８は、ＣＡＴＶ網４を介して有料のテレビ放送番組（スキップ情報となる広告情報を挿入した状態で）をテレビ放送録画再生装置１０のメインＴＶ２へと配信するものである。
【００４６】
〔２．作用〕
次に、本実施形態の作用について説明する。図３はテレビ放送録画再生装置１０が情報サーバ５から配信されたテレビ放送番組を記録する時のフローチャート、図４はテレビ放送録画再生装置１０のメインＴＶ２にて情報サーバ５から配信されたテレビ放送番組を再生する時のフローチャート、図５はテレビ放送録画再生装置１０のサブＴＶ３にてＣＭを再生する時のフローチャート、図６はＣＭの再生により生じた視聴ポイントを情報サーバに送信して蓄積する時のフローチャートである。
【００４７】
〔２−１．テレビ放送番組の記録〕…図３参照
ユーザの指示により情報サーバ５から配信されたテレビ放送番組を記録する場合、情報サーバ５のコンテンツサーバ２７からテレビ放送番組の映像情報がＣＡＴＶ網４を介してメインＴＶ２に配信され、通信制御部１４は受信を開始する（ＳＴ１１）。この時、テレビ放送番組の映像情報にはスキップ情報に指定されるＣＭは挿入されているが、この状態の状態で、主記憶部１２が映像情報を格納し（ＳＴ１２）、テレビ放送番組の終了に伴い、受信を終了する（ＳＴ１３）。
【００４８】
〔２−２．テレビ放送番組の再生〕…図４参照
主記憶部１２に格納されたテレビ放送番組の映像情報を再生する場合、ユーザからの指定指令を受けてスキップ情報指定部１６はスキップ情報としてタグ情報が添付されたＣＭを指定しておく（ＳＴ２１）。主再生部１５は主記憶部１２に格納された映像情報を呼び出して再生を開始し（ＳＴ２２）、表示部１１は主再生部１５にて再生された映像情報を表示する（ＳＴ２３）。
【００４９】
再生されている映像情報の中に、スキップ情報であるＣＭがある場合には（ＳＴ２４のＹｅｓ）、これを退避メモリ１３が格納し（ＳＴ２５）、ＣＭを１つの情報の塊として退避させる。そして、ＣＭを退避させた後で、主再生部１５は映像情報の再生を続け、表示部１１は主再生部１５にて再生された映像情報を表示する。
【００５０】
〔２−３．ＣＭの再生〕…図５参照
退避メモリ１３に格納されたＣＭは、次のようにして再生される。サブＴＶ３の設置されたトイレの使用が確認されると対人センサ３０が作動して（ＳＴ３１）、サブ側再生部２０は退避メモリ１３にＣＭが格納されているかどうかを検索する（ＳＴ３２）。サブ側再生部２０は退避メモリ１３にＣＭの存在を認めると（ＳＴ３２のＹｅｓ）、退避メモリ１３からＣＭを獲得してこれを再生し（ＳＴ３３）、スキップ情報表示部２１がＣＭを表示する（ＳＴ３４）。
【００５１】
続いて、スキップ情報再生検出部２２がサブ側再生部２０にてＣＭ再生が終了したことを検出すると（ＳＴ３５のＹｅｓ）、ＣＭの視聴終了信号をメインＴＶ２側の視聴ポイント計上部１７へと送信し（ＳＴ３６）、スキップ情報削除部２３は最後まで再生したＣＭの映像情報を削除する（ＳＴ３７）。その後、対人センサ３０によってトイレ内に人がいるかどうかを確認する（ＳＴ３８）。なお、ＣＭが最後まで再生されていなければ合には（ＳＴ３５のＮｏ）、ＳＴ３６、ＳＴ３７を飛ばして、ＳＴ３８へと移行する。
【００５２】
人がまだトイレ内にいる場合には（ＳＴ３８の有人）、ＳＴ３２に戻り、サブ側再生部２０は退避メモリ１３にＣＭが格納されているかどうかを再度検索し、退避メモリ１３にＣＭがあれば、退避メモリ１３からこれを獲得して再生を続ける。一方、人がトイレ内にいない場合には（ＳＴ３８の無人）、サブ側再生部２０は再生途中であってもＣＭ再生を停止する（ＳＴ３９）。そして、スキップ情報再格納部２４は、再生が途切れたところからではなく退避メモリ１３から獲得した一塊の映像情報として、ＣＭを退避メモリ１３へと再格納する（ＳＴ４０）。
【００５３】
〔２−４．ＣＭ再生による視聴ポイントの蓄積〕…図６参照
メインＴＶ２側の通信制御部１４がスキップ情報再生検出部２２からＣＭの視聴終了信号を受信すると（ＳＴ４１）、視聴ポイント計上部１７は視聴ポイントを計上し（ＳＴ４２）、これを通信制御部１４が情報サーバ５の割引ポイント算出部６へと通知する（ＳＴ４３）。割引ポイント算出部６は通知された視聴ポイント数に応じて各ユーザの割引ポイントを算出し（ＳＴ４４）、減算課金データベース７がユーザごとに割引ポイントを蓄積する（ＳＴ４５）。
【００５４】
〔３．効果〕
以上のような本実施形態には、ＣＭ視聴効率が向上するという効果があり、見飛ばされがちなＣＭを確実に視聴させることで商品やサービスをユーザに強く印象付けることが可能となる。すなわち、本実施形態では、退避メモリ１３にスキップ情報としてＣＭを格納しておき、その専用再生手段であるサブＴＶ３を用いてＣＭをまとめて再生することができる。
【００５５】
しかも、サブＴＶ３はトイレに設置され、対人センサ３０と連動しているため、トイレに入れば自動的にＣＭの再生、表示が実行される。トイレには雑誌などを持ち込む人も多いのでトイレでＣＭが表示されたとしても、違和感は少なく、かえって集中して見ることも可能である。
【００５６】
また、トイレという日常生活の中で必ず滞在する場所にサブＴＶ３を設置したことで、ＣＭの視聴機会を増やすことができる。さらに、滞在時間の比較的短いトイレは、再生時間の短いＣＭを視聴する場所に適している。また、ＣＭを視聴しても時間を無駄にした感覚はなく、ユーザにとって関心の低いＣＭを見ても、ＣＭに反感を覚えることもない。しかも、トイレに入っただけで、ＣＭが自動的に流れるので、ユーザはたとえ見る気がなくても、無意識のうちにＣＭを見てしまい、非常に高い視聴効果を上げることができる。
【００５７】
さらに、本実施形態のサブＴＶ３では、スキップ情報再生検出部２２がサブ側再生部２０にてＣＭ再生が終了したことを検出すれば、ユーザがＣＭを最後まで見たと認識して、スキップ情報削除部２３がＣＭに関する映像情報を削除する。このため、退避メモリ１３の容量はさほど大きくなくて済み、経済的である。また、ＣＭの再生を途中で停止させた場合には、スキップ情報再格納部２４が一塊のＣＭを退避メモリ１３へ再格納する。したがって、途中まで視聴したＣＭをもう一度見る際、ＣＭが途中から再生されることはなく、最初から最後まで視聴することができる。
【００５８】
上述した効果は、主にＣＭの配信側にとってのメリットであるが、本実施形態のシステムでは、ＣＭの視聴効率を高めたテレビ放送録画再生装置１０に、ユーザごとにＣＭ視聴状況を管理する情報サーバ５を組み合わせることで、ユーザ側から見ても、経済的なメリットを容易に確保できるといった効果をあげることができる。
【００５９】
すなわち、サブＴＶ３側のスキップ情報再生検出部２２がＣＭ再生の終了情報をメインＴＶ２側の視聴ポイント計上部１７へと送ると、視聴ポイント計上部１７は視聴ポイントを計上し、これを情報サーバ５の割引ポイント算出部６に通知する。こうして、視聴ポイントに応じて割引ポイントが減算課金データベース７に貯まっていき、ＣＭ視聴による割引ポイントを、ＣＭを見たユーザに確実に還元することができる。この経済的なメリットはＣＭの視聴動機をさらに高める要因となり、ＣＭの視聴効率はいっそう向上する。しかも、割引ポイントは視聴したユーザにだけ与えられるので、ＣＭ配信側からみても宣伝費を効果的に使用したことになり、満足度が高い。
【００６０】
〔４．他の実施形態〕
なお、本発明は、上記実施形態に限定されるものではなく、例えばスキップ情報はユーザが指定した情報であれば、ＣＭなどの広告情報には限らず、テレビ放送番組の中でユーザが繰り返し楽しみたい映像情報（音楽番組のライブシーンやサッカー番組の得点シーンなど）をスキップ情報として指定してもよい。この場合、その映像情報だけを、効率よく記録、再生することが可能となる。
【００６１】
スキップ情報再生手段の設置場所は適宜選択可能であり、トイレ以外でも、風呂や洗面所、台所といった日常生活の中で必ず滞在する場所に設置することで、スキップ情報の視聴機会の増大を図ることができる。また、上記の実施形態では、スペースへの利用者の侵入を検知する検知手段としてトイレに設置された対人センサを例にあげたが、これに限らず、トイレや風呂の電灯スイッチであっても良い。さらに、スキップ情報再生手段として、テレビドアホンやパソコン、さらには携帯電話の映像再生機能を活用して構成することも可能である。
【００６２】
また、情報サーバ側に蓄積されるユーザへの付与ポイントは、テレビ放送番組が有料である場合には割引ポイントのような経済的なメリットにもたらすものが有効であるが、これに限らず、単に貯めることが楽しみとなるゲーム性の強い付与ポイントであってもかまわない。
【図面の簡単な説明】
【００６３】
【図１】本発明に係る実施の形態における全体構成を示す機能ブロック図。
【図２】本発明に係る実施の形態に係るテレビ装置の機能ブロック図。
【図３】本実施形態におけるテレビ放送番組記録時のフローチャート。
【図４】本実施形態におけるテレビ放送番組再生時のフローチャート。
【図５】本実施形態におけるＣＭ再生時のフローチャート。
【図６】本実施形態における視聴ポイント蓄積時のフローチャート。
【符号の説明】
【００６４】
１…ネットワーク
２…メインＴＶ
３…サブＴＶ
４…ＣＡＴＶ網
５…情報サーバ
６…割引ポイント算出部
７…減算課金データベース
８…コンテンツサーバ
９…スキップ情報視聴システム
１０…テレビ装置
１１…表示部
１２…主記憶部
１３…退避メモリ
１４…通信制御部
１５…主再生部
１６…スキップ情報指定部
１７…視聴ポイント計上部
１８…サブ側通信制御部１
１９…入力部
２０…サブ側再生部
２１…スキップ情報表示
２２…スキップ情報再生検出部
２３…スキップ情報削除部
２４…スキップ情報再格納部
３０…対人センサ
【図１】
2007013788.tif 000003
【図２】
2007013788.tif 000004
【図３】
2007013788.tif 000005
【図４】
2007013788.tif 000006
【図５】
2007013788.tif 000007
【図６】
2007013788.tif 000008